(57)【要約】【課題】収納ケースが、上下や左右へ任意に隣接して連結され、高く重ねたり、複雑に隣接連結でき、複雑な機構なしに連結のための部材が突出しないで済むようにする。【解決手段】収納ケース１は、略直方体で、高さ：奥行き：幅の寸法比が、１：１：２であり、表面を構成する全６面で突出部分が無い。出し入れ面３から直角方向へ伸びる４つの辺部に、連結ポケット２５が形成される。隣接したこの連結ポケット２５に、連結挿入材２７が跨って挿入され、連結を行う。【選択図】図１
2010132297.tif 000002
【特許請求の範囲】
【請求項１】
略直方体の収納ケースにおいて、高さ：奥行き：幅の寸法比が、１：１：２であり、表面を構成する全６面で突出部分が無く、収納物の出し入れ面は開口し、この開口に設けられる扉と、前記出し入れ面から直角方向へ伸びる４つの辺部に形成される連結ポケットと、前記収納ケースが隣接した状態で隣接した前記連結ポケットに跨って挿入されることで収納ケースの連結を行う分離した連結挿入材と、を有することを特徴とする収納ケース。
【請求項２】
前記連結ポケットは、前記辺部を構成し直交する２面に沿って形成される袋状で断面Ｌ字状の空間と、この空間のうち前記Ｌ字状の角部に形成される挿入口部と、を有して構成され、前記連結挿入材は、前記連結ポケットを構成する前記袋状の空間のうち前記Ｌ字状の一方の辺側の空間に、略半分が挿入されることで、この収納ケースがいずれの面で隣接した状態であっても、隣接した前記連結ポケットに跨って挿入されうることを特徴とする請求項１に記載の収納ケース。
【請求項３】
前記扉は、前記開口に設けられ開口の両端部から嵌め込まれる突き合わせ式２枚のスライド扉であり、このスライド扉は、基部の縁部に沿って立ち上がる取手が形成され、突き合わせられる２枚のうち一方の先端部には、裏面に沿って突設される裏面材が設けられることを特徴とする請求項１、または２に記載の収納ケース。
【発明の詳細な説明】
【技術分野】
【０００１】
この発明は、衣服やその他の日用品などを収納する収納ケースの構造に関する。
【背景技術】
【０００２】
以上の収納ケースは、略直方体をなすことが多く、一般には使用時に、上下に重ねられたり、左右に接したりして、複数が隣接して使用される。
特許文献１には、略直方体ではないものの、上下に重ねられた収納ケースが、溝や、ポケットに部材が嵌合することで、連結する構造が開示される。
【特許文献１】米国公開特許２００３／９４３６２
【発明の開示】
【発明が解決しようとする課題】
【０００３】
しかしながら、収納ケースが、単に略直方体をなすだけでは、上下に重ねられたり、左右に接したりして、複数が隣接して使用される場合に、不安定であり、高く重ねたり、複雑に隣接させて使用することはできない。
また、前記特許文献１は、連結の方向は上下に限られ、異なる方向への連結ができない。よって、複雑に隣接させ連結して使用することはできない。また、隣接する収納ケースのポケットに嵌合する部材が、もとの収納ケースから突出しないように、その部材が出没可能になるように複雑な機構を有し、コスト高になる。
【０００４】
この発明は、以上の問題点を解決するために、収納ケースが、上下や左右の異なる方向へ任意に隣接して連結され、安定して使用され、高く重ねたり、さらには複雑に隣接連結させて使用することができ、複雑な機構なしに連結のための部材が突出しないで済む収納ケースを提供することを目的とする。
【課題を解決するための手段】
【０００５】
以上の課題を解決するために、第一発明は、略直方体の収納ケースにおいて、高さ：奥行き：幅の寸法比が、１：１：２であり、表面を構成する全６面で突出部分が無く、収納物の出し入れ面は開口し、この開口に設けられる扉と、前記出し入れ面から直角方向へ伸びる４つの辺部に形成される連結ポケットと、前記収納ケースが隣接した状態で隣接した前記連結ポケットに跨って挿入されることで収納ケースの連結を行う分離した連結挿入材と、を有することを特徴とする収納ケースである。
【０００６】
第二発明は、さらに、前記連結ポケットは、前記辺部を構成し直交する２面に沿って形成される袋状で断面Ｌ字状の空間と、この空間のうち前記Ｌ字状の角部に形成される挿入口部と、を有して構成され、前記連結挿入材は、前記連結ポケットを構成する前記袋状の空間のうち前記Ｌ字状の一方の辺側の空間に、略半分が挿入されることで、この収納ケースがいずれの面で隣接した状態であっても、隣接した前記連結ポケットに跨って挿入されうることを特徴とする収納ケースである。
第三発明は、さらに、前記扉は、前記開口に設けられ開口の両端部から嵌め込まれる突き合わせ式２枚のスライド扉であり、このスライド扉は、基部の縁部に沿って立ち上がる取手が形成され、突き合わせられる２枚のうち一方の先端部には、裏面に沿って突設される裏面材が設けられることを特徴とする収納ケースである。
【発明の効果】
【０００７】
第一、第二、又は第三発明によれば、略直方体の収納ケースの高さ：奥行き：幅の寸法比が、１：１：２であり、表面を構成する全６面で突出部分が無いから、上下や左右の異なる方向へ任意に隣接させ、複雑に隣接でき、さらに隣接した状態でまとまった形にできる。
【０００８】
また、出し入れ面から直角方向へ伸びる４つの辺部に、それぞれ連結ポケットが形成され、収納ケースが隣接した状態で、隣接したこの連結ポケットに跨って、連結挿入材が挿入されることで、収納ケースの連結を行う。この連結により、隣接する収納ケースは、安定して使用され、高く重ねたり、さらには複雑に隣接連結させて使用することができる。
【０００９】
また、連結挿入材は収納ケースから物理的に分離しており、分離して扱えるので、収納ケースから突出しない。よって、複雑な機構は不要となる。
さらに、第二、又は第三発明によれば、連結ポケットの単純な構造により本発明が実施でき、収納ケースの製造コストを抑えられる。
さらに、第三発明によれば、スライド扉は、基部の縁部に沿って立ち上がる取手が形成され、この取手により開閉が容易である。また、突き合わせられる２枚のうち一方の先端部には、裏面に沿って突設される裏面材が設けられ、突き合わ部分の隙間を無くすことができ、埃の侵入などを防止できる。
【発明を実施するための最良の形態】
【００１０】
この発明の実施形態にかかる収納ケースを、図１から図７に示す。
図１、図２に示すように、収納ケース１は、略直方体であり、６つの面と１２の辺部を有する。そして、高さ：奥行き：幅の寸法比が、１：１：２である。略直方体の表面を構成する全６面で、凹み部分はあるものの、突出部分が無い。図１の上面である収納物の出し入れ面３は、開口し、この開口５に扉が設けられる。
【００１１】
扉は、開口５に設けられ、開口５の両端部から嵌め込まれる突き合わせ式２枚のスライド扉７である。すなわち、開口５の図１中の上下二つの縁部には、内側に水平にスライド溝９が形成させる。このスライド溝９に、スライド扉７の上下二つの縁端部１１が、嵌め込まれスライド可能になる。これらのスライド扉７には、基部の縁部に沿って直角に立ち上がる取手１３が形成される。
【００１２】
また、図３に示すように、突き合わせられる２枚のうち一方の先端部には、裏面に沿って突設される裏面材１５が設けられる。裏面材１５はゴム板からなる。
また、図４に示すように、扉が誤って開くことがないように、ストッパー１７が設けられる。すなわち、Ｌ字状のストッパー部材１９の先端が挿入されるように、扉には、ストッパー孔２１が形成される。そして、扉が閉じた状態で、このストッパー孔２１に対応する位置において、収納ケース１の内部に、ストッパー部材１９の先端が挿入される挿入ポケット２３が設けられる。
【００１３】
また、図１、図２に示すように、出し入れ面３から直角方向へ伸びる４つの辺部に、連結ポケット２５が形成される。そして、この収納ケース１が複数隣接した状態で、隣接したこの連結ポケット２５に跨って、連結挿入材２７が挿入される。この挿入により収納ケース１の連結を行う。連結挿入材２７は、収納ケース１から物理的に分離している。形状は平たい直方体で、プラスチックなどで頑丈に作る。
【００１４】
また、連結挿入材２７は、収納ケース１をずらして連結する場合にも、異なる形にすることで容易に実施できる。すなわち、例えば図７（Ｂ）に示すように、形状は平たい短い二つの直方体がずれて合体した略Ｚ状をなし、ずれた連結ポケット２５へ挿入され、ずれた連結状態を固定できる。
【００１５】
図５，図６に示すように、連結ポケット２５は、辺部を構成し直交する２面に沿って形成される袋状で、断面Ｌ字状の空間２９である。この空間２９のうちＬ字状の角部に挿入口部３１が形成される。連結挿入材２７は、選択的に、任意に、Ｌ字状の一方の辺側の空間２９に、略半分が挿入される。この選択的で任意であることから、収納ケース１がいずれの面で隣接した状態であっても、隣接した前記連結ポケット２５に跨って、連結挿入材２７が挿入され、よって、連結が可能である。
なお、使用されない連結ポケット２５には、その空間を埋めるために、Ｌ字状の空間に類似の形状を有するダミーの挿入材を用いる。
【００１６】
「使用状態」
この実施形態によれば、図２のように、収納ケース１を単独で、出し入れ面３を上にして使用することもできる。内部に収納物３３である衣類などを入れる。
図５のように、出し入れ面３を横にし、横長にして使用することもできる。上下に重ねて使用できる。重ねられ隣接する収納ケース１は連結される。すなわち、隣接した二つの連結ポケット２５に、連結挿入材２７が跨って挿入され、連結を行う。その際、連結ポケット２５の挿入口部３１から連結挿入材２７が挿入されるが、一方の連結ポケット２５に、略半分が挿入され、他方の連結ポケット２５に、残りの略半分が挿入される。
【００１７】
図６のように、出し入れ面３を横にし、縦長にして使用することもできる。連結ポケット２５がＬ字状なので、収納ケース１がいずれの面で隣接した状態でも、連結できる。
また、図７（Ａ）のように、横長と縦長の使用を組み合わせて複雑に隣接連結させて、使用することもできる。その際、スライド扉７のスライド方向に、隣接する収納ケース１が存在しても、扉のスライドが可能なように、収納ケース１を少しずらして連結することができる。
【００１８】
すなわち、図７（Ｂ）に示すように、連結挿入材２７は、形状は平たい短い二つの直方体が合体した略Ｚ状をなし、位置がずれた連結ポケット２５へ挿入され、収納ケース１のずれた連結状態を固定できる。
このように、ずらして連結すれば、中央の二つの縦長にした二つの収納ケース１のスライド扉７は、上下の横長の収納ケース１に接触することなく、開閉が可能になる。
【００１９】
「実施形態の効果」
この実施形態によれば、略直方体の収納ケース１の高さ：奥行き：幅の寸法比が、１：１：２であり、表面を構成する全６面で突出部分が無いから、上下の方向（図５，図６）や、図示しないものの左右の方向へ任意に隣接させられる。また、例えば図７に示すように複雑に隣接でき、隣接した状態で、中央の二つの収納ケース１が前方にややずれているものの、全体として略直方体（図７）であり、まとまった形にできる。
【００２０】
また、出し入れ面３から直角方向へ伸びる４つの辺部に、それぞれ連結ポケット２５が形成される。もっとも、他の４つの辺部（図１下側）にも形成し、合計８つの辺部に形成することもできる。これらの連結ポケット２５に対して、収納ケース１が隣接した状態で、隣接したこの連結ポケット２５に跨って、連結挿入材２７が挿入されることで、収納ケース１の連結を自在に行う。この連結により、隣接する収納ケース１は、安定して使用され、高く重ねたり、さらには複雑に隣接連結させて使用することができる。
【００２１】
また、連結挿入材２７は、収納ケース１とは物理的に分離しており、分離して扱えるので、収納ケース１から突出しない。よって、複雑な機構は不要となる。
さらに、連結ポケット２５の単純な構造により本発明が実施でき、収納ケース１の製造コストを抑えられる。
さらに、開口５の両端部から嵌め込まれる突き合わせ式２枚のスライド扉７が設けられ、このスライド扉７は、基部の縁部に沿って立ち上がる取手１３が形成される。この取手１３に指がかかりやすいことから、扉の開閉が容易である。また、突き合わせられる２枚のうち一方の先端部には、裏面に沿って突設される裏面材１５が設けられ、突き合わせ部分の隙間を無くすことができ、埃の侵入などを防止できる。
【００２２】
「他の実施形態」
以上の実施形態では、扉はスライド扉７  であったが、他の実施形態では、観音開きの扉でも良い。また、通常のドアのような片開きの扉でもよい。
以上の実施形態では、扉は、基部の縁部に沿って立ち上がる取手１３が設けられるものであったが、他の実施形態では、別体の取手金具や凹んだ取手が設けられるものでもよい。
以上の実施形態では、連結挿入材２７は、平たい直方体であったが、他の実施形態では、他の形状でもかまわない。例えば左右に弾性爪を有し、挿入の際に弾性爪が縮み、連結ポケット２５の内部に拡張して形成される爪スペースに嵌合し広がる構成としてもよい。
以上の実施形態では、扉の裏面に沿って突設される裏面材１５が設けられたが、他の実施形態では、裏面材１５を設けなくてもかまわない。
【図面の簡単な説明】
【００２３】
【図１】この発明の一実施形態を示す収納ケースの斜視図である。
【図２】（Ａ）は図１の収納ケースの平面図、（Ｂ）は図１の収納ケースの正面図、（Ｃ）は図１の収納ケースの側面図、（Ｄ）は図１の収納ケースの断面図である。
【図３】（Ａ）は図１の収納ケースの扉を示す斜視図、（Ｂ）は（Ａ）の扉の動作を示す図である。
【図４】（Ａ）は図１の収納ケースの扉に設けられるストッパー付近の縦断面図、（Ｂ）は（Ａ）のストッパー部材の斜視図である。
【図５】（Ａ）は図１の収納ケースを、出し入れ面を横にし、横長にして上下に重ねて連結し使用する状態を示す部分的な斜視図、（Ｂ）は（Ａ）の一部を分解拡大し連結の動作を示す図である。
【図６】（Ａ）は図１の収納ケースを、出し入れ面を横にし、縦長にして上下に重ねて連結し使用する状態を示す部分的な斜視図、（Ｂ）は（Ａ）の一部を分解拡大し連結の動作を示す図である。
【図７】（Ａ）は４つの収納ケースを、図５の横長と図６の縦長の使用を組み合わせて、複雑に隣接連結し使用する状態を示す斜視図、（Ｂ）は（Ａ）の一部を分解拡大し連結の動作を示す図である。
【符号の説明】
【００２４】
１…収納ケース、３…出し入れ面、５…開口、７…スライド扉、９…スライド溝、１１…縁端部、１３…取手、１５…裏面材、１７…ストッパー、１９…ストッパー部材、２１…ストッパー孔、２３…挿入ポケット、２５…連結ポケット、２７…連結挿入材、２９…空間、３１…挿入口部。
【図１】
2010132297.tif 000003
【図２】
2010132297.tif 000004
【図３】
2010132297.tif 000005
【図４】
2010132297.tif 000006
【図５】
2010132297.tif 000007
【図６】
2010132297.tif 000008
【図７】
2010132297.tif 000009
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
略直方体の収納ケースにおいて、高さ：奥行き：幅の寸法比が、１：１：２であり、表面を構成する全６面で突出部分が無く、収納物の出し入れ面は開口し、この開口に設けられる扉と、前記出し入れ面から直角方向へ伸びる４つの辺部に形成される連結ポケットと、前記収納ケースが隣接した状態で隣接した前記連結ポケットに跨って挿入されることで収納ケースの連結を行う分離した連結挿入材と、を有し、
前記連結ポケットは、前記辺部を構成し直交する２面に沿って形成される袋状で断面Ｌ字状の空間と、この空間のうち前記Ｌ字状の角部に形成される挿入口部と、を有して構成され、前記連結挿入材は、前記連結ポケットを構成する前記袋状の空間のうち前記Ｌ字状の一方の辺側の空間に、略半分が挿入されることで、この収納ケースがいずれの面で隣接した状態であっても、隣接した前記連結ポケットに跨って挿入されうることを特徴とする収納ケース。
【請求項２】
前記連結挿入材は、位置がずれた前記連結ポケットへ挿入されうるように、形状は二つの直方体が合体した略Ｚ状をなすことを特徴とする請求項１に記載の収納ケース。